(57)【要約】      （修正有）【課題】簡略な装置構成でありながら、ゴミ収容部に差し入れられた指等が切断されるといったような事故を確実に防止可能であり、ゴミ収容部を容易に清掃可能なシュレッダーを提供する。【解決手段】シュレッダー１０は、シュレッダー本体３０の下方に水平方向に引き出し可能な回収箱４０が設けられている。また、シュレッダー１０は、裁断対象物以外のゴミを投入することが可能なゴミ収容部５０を有する。ゴミ収容部５０は、シュレッダー本体３０側に設けられた本体側構成体５２と、回収箱４０側に設けられた底側構成体５６との組み合わせにより構成されている。シュレッダー１０は、回収箱４０を所定の引出方向に引き出すことにより、回収箱４０とともに底側構成体５６が引出方向に移動し、ゴミ収容領域５４の底にゴミ排出口が形成される。【選択図】図２
0003156827.tif 000002
【実用新案登録請求の範囲】
【請求項１】
裁断対象物を裁断可能な裁断機構を備えるシュレッダー本体と、
前記シュレッダー本体を上方側に着脱可能に備える筐体と、
前記シュレッダー本体の下方側に配され、所定の引出方向に向けて水平移動させることにより前記筐体から脱着可能な回収箱と、
を有するシュレッダーであって、
前記シュレッダー本体において前記裁断機構に対して前記引出方向に隣接する位置に設けられたゴミ収容部を有し、
前記ゴミ収容部が、前記シュレッダー本体側に形成されており、前記裁断機構及び前記ゴミ収容部を隔てる隔壁を有し下方に向けて開放されたゴミ収容領域を有する本体側構成体と、前記回収箱側に形成されており、前記ゴミ収容領域の底を閉鎖可能な底壁を有する底側構成体と、を組み合わせることにより構成され、
前記回収箱を前記シュレッダー本体の下方において所定の設置位置に設置することにより、前記ゴミ収容領域の底が前記底壁によって閉鎖された状態になり、前記回収箱を前記設置位置から前記引出方向に向けて水平移動させることにより、前記底側構成体が前記引出方向に移動し、前記ゴミ収容領域の底が下方に向けて開放された状態になること、
を特徴とするシュレッダー。
【請求項２】
前記本体側構成体が、前記隔壁と、前記隔壁に対向するように設けられた対向壁と、を有し、前記隔壁及び前記対向壁の間に前記ゴミ収容領域を形成するものであり、
前記回収箱が、上方に向けて開口した中空の回収部を有し、前記回収部に対して前記引出方向に隣接する位置に前記底側構成体が設けられたものであり、
前記回収箱を前記設置位置から前記引出方向に向けて水平移動させることにより、前記本体側構成体が、前記底側構成体に対して前記回収部側に向けて相対移動し、前記ゴミ収容領域の底が回収部側に向けて開放された状態になること、
を特徴とする請求項１に記載のシュレッダー。
【請求項３】
前記回収箱を前記設置位置から前記引出方向に向けて水平移動させることにより、前記対向壁が前記底壁上を摺動すること、
を特徴とする請求項１又は２に記載のシュレッダー。
【請求項４】
前記回収部の上端側から下方に向けて延びる係止スリットが、前記回収部において周方向に複数設けられていること、
を特徴とする請求項１〜３のうちのいずれかに記載のシュレッダー。
【請求項５】
前記回収部が矩形状の開口領域を有するものであり、
少なくとも前記開口領域の四隅に前記係止スリットが設けられていること、
を特徴とする請求項４に記載のシュレッダー。
【考案の詳細な説明】
【技術分野】
【０００１】
本考案はシュレッダーに関するものであり、特に裁断機能を有する裁断機構部に隣接する位置にゴミ収容部を別途設けたシュレッダーに関する。
【背景技術】
【０００２】
従来、機密保持等のために不要な文書やクレジットカード、ＣＤ−ＲＯＭ、ＤＶＤ−ＲＯＭ等を細かく裁断可能なシュレッダーが提供されている。また、文書等を裁断する際に、文書から取り外したホチキスや文書の切れ端等のゴミを処分可能なように、裁断対象である文書等を投入するための投入口に隣接する場所にゴミ収容部を別途設けたシュレッダーが提供されている。
【０００３】
例えば、特許文献１に開示されている文書裁断機は、様々な形状や大きさの屑籠に設置可能なように伸縮可能なスライド部材を設けたものであり、スライド部材を伸ばして屑籠に設置した際に側方に形成される隙間や開口部分を介して裁断の必要のないゴミを屑籠に投入することができる。
【０００４】
また、特許文献２に開示されているシュレッダーは、電動モータやカッター等を内蔵したシュレッダー機構や、裁断された紙片等を収容可能な廃物容器を備えており、側面側に設けられた開口から廃物容器にゴミを投入可能とされている。また、このシュレッダーは、指等の侵入を検知するためのセンサを設ける等して、開口から指等が差し入れられ切断される等の事故を防止できる構成とされている。
【先行技術文献】
【特許文献】
【０００５】
【特許文献１】実用新案登録第３０２４０３５号公報
【特許文献２】特開２００６−７５８３１号公報
【考案の概要】
【考案が解決しようとする課題】
【０００６】
しかしながら、上記特許文献１に開示されている構成では、文書裁断機の側方に形成される隙間や開口部分に指等が差し込まれた場合に指等を切断してしまう可能性があった。
【０００７】
また、上記特許文献２に開示されているシュレッダーのように指等を検知可能なセンサを設ける等した場合は、指等が切断されてしまう等の事故を防止することができるが、センサ等を設けねばならない分だけ構成や動作が複雑化してしまうという問題があった。
【０００８】
更にまた、指が切断される等の事故を防止すべく、裁断対象物以外のゴミを収容可能なゴミ収容部をシュレッダー機構から別途独立した状態で設けた場合は、裁断片が入った廃物容器だけでなくゴミ収容部についても別途清掃を行わねばならないという問題があった。
【０００９】
そこで、上述した課題を解決すべく、本考案は、簡略な装置構成でありながら、ゴミ収容部に差し入れられた指等が切断されるといったような事故を確実に防止可能であり、ゴミ収容部を容易に清掃可能な新規な構造を有するシュレッダーの提供を目的とした。
【課題を解決するための手段】
【００１０】
上述した課題を解決すべく、本考案は、
裁断対象物を裁断可能な裁断機構を備えるシュレッダー本体と、
前記シュレッダー本体を上方側に着脱可能に備える筐体と、
前記シュレッダー本体の下方側に配され、所定の引出方向に向けて水平移動させることにより前記筐体から脱着可能な回収箱と、
を有するシュレッダーであって、
前記シュレッダー本体において前記裁断機構に対して前記引出方向に隣接する位置に設けられたゴミ収容部を有し、
前記ゴミ収容部が、前記シュレッダー本体側に形成されており、前記裁断機構及び前記ゴミ収容部を隔てる隔壁を有し下方に向けて開放されたゴミ収容領域を有する本体側構成体と、前記回収箱側に形成されており、前記ゴミ収容領域の底を閉鎖可能な底壁を有する底側構成体と、を組み合わせることにより構成され、
前記回収箱を前記シュレッダー本体の下方において所定の設置位置に設置することにより、前記ゴミ収容領域の底が前記底壁によって閉鎖された状態になり、前記回収箱を前記設置位置から前記引出方向に向けて水平移動させることにより、前記底側構成体が前記引出方向に移動し、前記ゴミ収容領域の底が下方に向けて開放された状態になること、
を特徴とするシュレッダーを提供する。
【００１１】
上記した本考案のシュレッダーは、
前記本体側構成体が、前記隔壁と、前記隔壁に対向するように設けられた対向壁と、を有し、前記隔壁及び前記対向壁の間に前記ゴミ収容領域を形成するものであり、
前記回収箱が、上方に向けて開口した中空の回収部を有し、前記回収部に対して前記引出方向に隣接する位置に前記底側構成体が設けられたものであり、
前記回収箱を前記設置位置から前記引出方向に向けて水平移動させることにより、前記本体側構成体が、前記底側構成体に対して前記回収部側に向けて相対移動し、前記ゴミ収容領域の底が回収部側に向けて開放された状態になるものであることが望ましい。
【００１２】
上記した本考案のシュレッダーは、
前記回収箱を前記所定位置から前記引出方向に向けて水平移動させることにより、前記対向壁が前記底壁上を摺動することを特徴とするものであることが好ましい。
【００１３】
上記した本考案のシュレッダーは、
前記回収部の上端側から下方に向けて延びる係止スリットが、前記回収部において周方向に複数設けられていることを特徴とするものであってもよい。
【００１４】
また、上記した本考案のシュレッダーは、
前記回収部が矩形状の開口領域を有するものであり、
少なくとも前記開口領域の四隅に前記係止スリットが設けられていることを特徴とするものであってもよい。
【考案の効果】
【００１５】
本考案に係るシュレッダーは、本体側構成体をなす隔壁により裁断機構とゴミ収容部とが隔離されている。このため、本考案によれば、ゴミ収容部側から裁断機構部側に指等が侵入し、切断されてしまうといったような事故が起こるのを確実に防止することができる。
【００１６】
本考案のシュレッダーは、本体側構成体と底側構成体との組み合わせにより構成されるゴミ収容部を備えており、回収箱を所定の設置位置から引出方向に引き出すと、ゴミ収容領域の底が下方側に向けて開いた状態になり、ゴミ収容領域内に収容されていたゴミが回収部に向けて落下することになる。このため、本考案のシュレッダーでは、回収箱を設置位置から引出方向に向けて引き出すだけでゴミ収容部内に投入されているゴミを回収部内に回収することができ、ゴミ収容部内の清掃に手間を要しない。
【００１７】
また、本体側構成体をなす対向壁が隔壁に対向するように設けられ、対向壁と隔壁との間にゴミ収容領域が形成された構成とした場合は、回収箱を所定の設置位置から引出方向に引き出すと、対向壁が底側構成体側の底壁上を前記した引出方向とは逆側（回収部側）に向けて相対移動することになる。この際、ゴミ収容部内に投入されているゴミは、対向壁によりゴミ収容領域の底側に形成された開口側に向けてかき寄せられ、回収部に向けて排出されることになる。したがって、本考案のシュレッダーは、ゴミ収容部内に収容されているゴミを漏れなく回収部に向けて排出させ、回収することができる。
【００１８】
また、回収箱を引出方向に向けて水平移動させることにより、対向壁が底壁上を摺動する構成とすれば、例えばホチキスの針のように微小なゴミが底壁上に存在していても、これを確実に対向壁によってかき集め、回収部に向けて排出させることが可能となる。
【００１９】
上記したように、回収部の上端側から下方に向けて伸びる係止スリットを回収部において周方向に複数設けた場合、別途用意したゴミ袋の開口側の端部を前述した係止スリットに挟み込むことにより、ゴミ袋を容易かつしっかりと回収部に設置することができる。これにより、ゴミ袋が回収部から外れてしまい、裁断機構において発生した裁断片やゴミ収容部から回収されたゴミがゴミ袋の外側に漏れてしまうのを確実に防止でき、清掃作業に要する手間を抑制することができる。
【００２０】
また、本考案のシュレッダーにおいて回収部が矩形状の開口領域を有するものである場合は、回収部の開口領域の四隅に上記した係止スリットを設けることにより、回収部の略全体にわたって確実に開口した状態となるようにゴミ袋を設置することが可能となる。このため、本考案によれば、裁断片やゴミをより一層確実にゴミ袋内に回収することが可能となり、清掃作業に要する手間を最小限に抑制することができる。
【図面の簡単な説明】
【００２１】
【図１】本考案の一実施形態に係るシュレッダーを示す斜視図である。
【図２】図１に示すシュレッダーに係る分解斜視図である。
【図３】回収箱を示す平面図である。
【図４】回収箱とゴミ袋との関係を説明するための斜視図である。
【図５】図１に示すシュレッダーのゴミ収容部近傍における断面図であり、（ａ）は回収箱を設置位置に設置した状態における断面図、（ｂ）は回収箱を設置位置から引出方向に引き出した状態における断面図である。
【図６】回収箱に板体回収部を設けた変形例を示す斜視図であり、（ａ）は板体回収部の装着前の状態を示す斜視図、（ｂ）は板体回収部の装着後の状態を示す斜視図である。
【図７】ゴミ収容部の変形例を概念的に示す斜視図であり、（ａ）は回収箱が設置位置から引出方向に完全に引き出された状態におけるゴミ収容部を示す斜視図、（ｂ）は回収箱が設置位置から引出方向に引き出さる過程におけるゴミ収容部の状態を示す斜視図、（ｃ）は回収箱が設置位置に設置された状態におけるゴミ収容部を示す斜視図である。
【図８】（ａ）〜（ｃ）はそれぞれゴミ収容部をなす本体側構成体及び底側構成体の変形例を示すものである。
【考案を実施するための形態】
【００２２】
続いて、本考案の一実施形態に係るシュレッダー１０について図面を参照しつつ詳細に説明する。ただし、本考案は、本実施形態に限定されるものではない。
【００２３】
図１及び図２に示すように、シュレッダー１０は、筐体２０と、シュレッダー本体３０、回収箱４０、ゴミ収容部５０に大別される。筐体２０は、シュレッダー１０の外装を構成する略直方体状の箱体によって構成されている。筐体２０の天面側には、シュレッダー本体３０が着脱可能に一体的に設けられている。また、図２に示すように、筐体２０は、長手方向一方側（以下、「正面側」ともいう。）に開口２２を有し、図中に矢印ＰＬで示す方向に引っ張ることにより回収箱４０を引き出すことができる。
【００２４】
図２に示すように、シュレッダー本体３０は、裁断対象物を裁断するための裁断機構部３２と、本体側構成体５２とを備えている。裁断機構部３２は、電動モータ（図示せず。）やカッター（図示せず。）等を内蔵したものであり、投入口３４から投入される紙等のシート状の裁断対象物を破断することができる。また、投入口３６からは、クレジットカード、ＣＤ−ＲＯＭ、ＤＶＤ−ＲＯＭ等の裁断しにくいプラスチック製の板体を回収箱４０に直接投入することができる。
【００２５】
裁断機構部３２は、シュレッダー本体３０の天面３０ａ側に投入口３４、３６及び電動モータ（図示せず。）の電源スイッチ３８を有し、シュレッダー本体３０の底面３０ｂ側に排出口（図示せず。）を有する。また、裁断機構部３２は、投入口３４から投入された裁断対象物をカッター（図示せず。）によって裁断し、排出口（図示せず。）から下方に向けて排出することができる。投入口３４よりも筐体２０の正面側、即ち回収箱４０を引き出す際の引出方向ＰＬに隣接する位置には、後に詳述するゴミ収容部５０の開口５０ａ、及びこれを閉塞（閉鎖）するための蓋５０ｂが設けられている。
【００２６】
ただし、投入口３６はなくてもよく、また、図６を用いて後述するように、投入口３６から投入されたＣＤ−ＲＯＭ、ＤＶＤ−ＲＯＭ等を回収箱４０そのものではなく、回収箱４０に設置された板体回収部６２で別途回収する態様を採用してもよい。
【００２７】
本体側構成体５２は、後に詳述するゴミ収容部５０の一部を構成するものであり、裁断機構部３２において処理される裁断対象物以外のゴミＤを収容するためのゴミ収容領域５４を内部に有する。本実施形態の本体側構成体５２は、シュレッダー本体３０において裁断機構部３２に対して筐体２０の正面側、即ち回収箱４０の引出方向ＰＬに隣接する位置に設けられている。
【００２８】
また、本体側構成体５２は、天面３０ａに形成された略矩形の開口３４と連通した開口形状が略矩形であり、底側が開放された筒体によって構成されている。具体的には、本体側構成体５２は、隔壁５２ａと、対向壁５２ｂと、側壁５２ｃ、５２ｄとを有する。図２や図５に示すように、隔壁５２ａは、裁断機構部３２に対して回収箱４０の引出方向ＰＬ（正面側）に隣接する位置に存在し、裁断機構部３２とゴミ収容領域５４とを隔離する壁面である。また、対向壁５２ｂは隔壁５２ａと対向する壁面であり、側壁５２ｃ、５２ｄは隔壁５２ａ及び対向壁５２ｂに対して略垂直な壁面である。
【００２９】
図２及び図４に示すように、回収箱４０は、回収部４２と底側構成体５６とを有する。回収部４２は、裁断機構部３２において発生した裁断片等を回収するために設けられたものであり、図３等に示すように矩形状の開口領域を有する空間である。
【００３０】
回収箱４０は、天面側に向けて開口した有底の箱体によって構成されている。具体的には、回収箱４０は、長手方向一方側に位置する正面４０ａと、正面４０ａに対向する背面４０ｂと、正面４０ａ及び背面４０ｂに対して略垂直な側面４０ｃ、４０ｄと、底面４０ｅとを有し、上方に向けて開口した中空の箱体によって構成されている。図５（ａ）に示すように、正面４０ａが筐体２０の両側面２０ａ、２０ｂに当接する位置（以下、「設置位置」ＳＴともいう。）まで押し込まれた状態とすると、シュレッダー本体３０の裁断機構部３２の直下に回収部４２が到来した状態になる。
【００３１】
更に回収部４２には、図３に示すように、その開口領域の四隅をなす位置に、回収箱４０の上端側から下方に向けて延びる係止スリット４４が設けられている。係止スリット４４は、裁断機構部３２において発生した裁断片等を入れるためのゴミ袋６０を回収部４２内にセットする際に使用するものであり、ゴミ袋６０の開口端側の端部を差し込むことによりゴミ袋６０を係止させることが可能とされている。
【００３２】
底側構成体５６は、上述したシュレッダー本体３０側に設けられた本体側構成体５２と組み合わさることによりゴミ収容部５０を構成するものである。具体的には、図２、図４及び図５に示すように、底側構成体５６は、ゴミ収容部の底を構成するための底壁５６ａを有し、この底壁５６ａが回収部４２側に向けて水平に突出するよう、回収箱４０の正面４０ａに固定されている。底壁５６は、上述した回収部４２の上端と略同等、あるいはこれよりも高い位置に取り付けられている。
【００３３】
また、底板５６の先端部は、回収部４２に設けられた４つの係止スリット４４のうち、正面４０ａ側（底板構成体５６側）に位置する２つの係止スリット４４が設けられた位置、あるいはこの近傍まで到達している。そのため、各係止スリット４４に係止させることにより回収部４２にゴミ袋６０をセットすることにより、底壁５６ａから背面４０ｂ側に向けて払い落とされたゴミＤを回収部４２内のゴミ袋６０に回収することが可能な状態になる。
【００３４】
図１に示すゴミ収容部５０は、上述したシュレッダー本体３０側に一体的に設けられた本体側構成体５２と、回収箱４０側に一体的に設けられた底側構成体５６との組み合わせにより構成されている。ゴミ収容部５０は、裁断機構部３２において処理される裁断対象物以外のゴミＤ、具体的には、例えば裁断対象の書類から取り外したホチキスや、書類の切れ端等のゴミＤを投入することができるよう設けられた部分である。
【００３５】
回収箱４０を筐体２０の設置位置ＳＴに設置すると、図５（ａ）に示すようにシュレッダー本体３０側に設けられた本体側構成体５２の底が、回収箱４０側に設けられた底側構成体５６の底壁５６ａによって閉塞（閉鎖）され、ゴミ収容領域５４内にゴミＤを溜めておくことが可能な状態になる。
【００３６】
一方、回収箱４０を設置位置ＳＴから引出方向ＰＬに引き出すと、図５（ｂ）に示すように、回収箱４０側に設けられた底側構成体５６の底壁５６ａも本体側構成体５２に対して引出方向ＰＬに向けて移動する。これにより、本体側構成体５２の内側に形成されたゴミ収容領域５４の底が隔壁５２ａ側（背面４０ｂ側）から対向壁５２ｂ側（正面４０ａ側）に向けて徐々に開く。
【００３７】
また、回収箱４０を引出方向ＰＬに移動させると、図５（ｂ）において矢印Ｍで示すように、本体側構成体５２をなす対向壁５２ｂが底壁５６ａに対して引出方向ＰＬとは逆方向に相対移動する。そのため、ゴミ収容領域５４内に溜まっていたゴミＤは、矢印Ｍで示すように対向壁５２ｂによって背面側に向けて掻き寄せられる。また、対向壁５２ｂが底壁５６ａの表面に当接しているため、回収箱４０を引き出す際に対向壁５２ｂは底壁５６ａ上を摺動する。そのため、例えばホチキスの針のように細かいゴミＤであっても対向壁５２ｂによって漏れなく背面側に向けて掻き寄せられることになる。
【００３８】
対向壁５２ｂによって掻き寄せられたゴミＤは、ゴミ収容領域５４の底側に形成された開口（以下、「ゴミ排出口」５８ともいう。）から順次払い出される。ここで、上述したように、底壁５６ａの先端は、回収部４２において各係止スリット４４に係止されたゴミ袋６０の上端側の開口に臨む位置にある。そのため、対向壁５２ｂによって底壁５６ａから背面４０ｂ側に向けて払い落とされたゴミＤは、回収部４２内にセットされたゴミ袋６０内に回収されることになる。
【００３９】
上述したように、本実施形態に係るシュレッダー１０は、使用状態、即ち回収箱４０を設置位置ＳＴに設置した状態において、本体側構成体５２をなす隔壁５２ａにより裁断機構部３２とゴミ収容部５０とが隔離されている。また、設置位置ＳＴに回収箱４０を設置した状態において、隔壁５２ａをはじめとしてゴミ収容領域５４を取り囲む各壁５２ａ〜５２ｄの下端部が底壁５６ａと略隙間なく当接している。そのため、シュレッダー１０においては、開口５０ａから差し入れられた指等がゴミ収容領域５４から裁断機構部３２側に出て切断されてしまうといったような事故が起こらない。
【００４０】
本実施形態のシュレッダー１０は、回収箱４０を所定の設置位置ＳＴから引出方向ＰＬに引き出すと、ゴミＤを収容可能なように閉塞（閉鎖）されていたゴミ収容領域５４の底が隔壁５２ａ側から対向壁５２ｂ側に向けて順次開いていく。また、本体側構成体５２をなす対向壁５２ｂが隔壁５２ａに対向するように設けられているため、回収箱４０を引出方向ＰＬに引き出すことにより対向壁５２ｂが底壁５６ａに対して隔壁５２ａ側（背面４０ｂ側）に向けて相対移動し、ゴミ収容領域５４内に存在しているゴミＤが隔壁５２ａ側に集められる。更に、底壁５６ａの先端に臨む位置に回収箱４０の回収部４２が存在している。そのため、回収箱４０を引き出すだけでゴミ収容領域５４内に収容されていたゴミＤをゴミ収容領域５４の底側に形成されたゴミ排出口５８から回収部４２に向けて排出させ、裁断機構部３２において発生した裁断片とともに回収することが可能である。
【００４１】
また、上述したように、対向壁５２ｂの下端部が底壁５６ａの表面に当接しているため、回収箱４０を引出方向ＰＬに向けて水平移動させると対向壁５２ｂが底壁５６ａ上を摺動する。そのため、シュレッダー１０は、例えばホチキスの針のように微小なゴミＤであっても対向壁５２ｂによってゴミ収容部５０の底側に形成されるゴミ排出口５８に向けてかき集め、回収部４２に向けて排出させることが可能となる。したがって、シュレッダー１０は、ゴミ収容部５０を容易に清掃することが可能である。
【００４２】
なお、本実施形態では、微小なゴミＤを容易かつ確実に回収可能とすべく、回収箱４０を水平移動させた際に対向壁５２ｂが底壁５６ａ上を摺動するよう、対向壁５２ｂの下端部が底壁５６ａの表面に当接させた構成を例示したが、本発明はこれに限定されるものではない。例えば、対向壁５２ｂの下端と底壁５６ａとの間に隙間が形成されていてもよい。なお、かかる構成とする場合は、対向壁５２ｂの下端部にブラシ等を設けた構成とする等の方策を講じ、ホチキスの針等の微小なゴミＤを容易に回収可能な構成とすることが望ましい。
【００４３】
本実施形態のシュレッダー１０は、回収部４２の開口領域が矩形状とされており、この開口領域の四隅に該当する位置に係止スリット４４が設けられている。そのため、別途用意したゴミ袋６０の開口端の部分を各係止スリット４４に係止させることにより、ゴミ袋６０を回収部４２の略全体にわたって確実に開口した状態となるように設置することができる。
【００４４】
また、４つの係止スリット４４のうち、正面４０ａ側に位置する２つの係止スリット４４が底板構成体５６の底壁５６ａの先端近傍に設けられているため、底壁５６ａから背面４０ｂ側に向けて払い落とされたゴミＤを確実にゴミ袋６０内に回収することができる。そのため、上述した構成によれば、裁断機構部３０において発生した裁断片や、ゴミ回収部５０に収容されていたゴミＤを容易かつ確実にゴミ袋６０内に回収することが可能となり、清掃作業に要する手間を最小限に抑制できる。
【００４５】
なお、本実施形態では、係止スリット４４によりゴミ袋６０を係止させることにより、回収箱４０にゴミ袋６０を設置する構成を例示したが、本発明はこれに限定されるものではなく、例えばクリップ等によってゴミ袋６０を固定や係止等させる構成としてもよく、ゴミ袋６０を固定等する手段を備えていない構成としてもよい。
【００４６】
また、本実施形態では、回収部４２の開口領域の四隅に係止スリット４４を設けた構成を例示したが、他の場所に係止スリット４４あるいはこれに相当するものを設けてもよい。更に、係止スリット４４等のゴミ袋６０を固定や係止するためのものの数は、上述したものに限定されない。
【００４７】
本実施形態において、裁断機構部３２は、紙等のシート状のものだけでなく、ＣＤ−ＲＯＭ等のある程度の硬さを有する薄板状のものも裁断可能な裁断機構部であってもよいが、本発明はこれに限定されるものではなく、シート状のものあるいは薄板状のもののいずれか一方のみを裁断可能なものであってもよい。
【００４８】
また、図６に示すように、薄板状のものを回収するために箱体等からなる板体回収部６２を別途設けた構成としてもよい。なお、板体回収部６２は、回収箱４０において、正面４０ａからより離れた奥のほうの位置に設ける構成としてもよい。また、本実施形態において採用されていた回収箱４０は、開口形状が略矩形であり直方体状の箱体であったが、本発明はこれに限定されるものではなく、例えば開口形状が略円形で筒状のもの等を採用することも可能である。
【００４９】
本実施形態において、ゴミ収容部５０をなす底壁５６ａは、略水平なものであったが、本発明はこれに限定されるものではなく、傾斜を有するものであってもよい。具体的には、底壁５６ａは、例えば回収部４２ａ側に向けて下り勾配となるように取り付けられていてもよい。このような構成とすることにより、ゴミ収容部５０から回収部４２に向けてゴミＤを排出する際に、ゴミＤが傾斜に沿って回収部４２側に向けて落下しやすくなり、より一層確実にゴミＤを回収することが可能となる。
【００５０】
また、上述した本体側構成体５２や底側構成体５６の形状や構成は、本発明の一例を示すものに過ぎず、他の形状や構成のものであってもよい。具体的には、図７に示すように、本体側構成体５２を図中に網掛を付して示したように上述した隔壁５２ａ及び対向壁５２ｂに相当するものによって構成し、底側構成体５６を底壁５６ａに相当するものに加え、上述した実施形態において本体側構成体５２側に設けられていた側壁５２ｃ、５２ｄに相当するものを備えた構成とすることも可能である。かかる構成とした場合についても、回収箱４０を所定の設置位置ＳＴに設置することにより、図５（ｂ）に示すような天面側に向けて開放されたゴミ収容領域５４が形成され、隔壁５２ａによって指等が裁断機構部３２側に侵入するのを防止できる。
【００５１】
ここで、ゴミ回収部４２の変形例について説明する。本体側構成体５２や底側構成体５６を図７に示すような構成とした場合、回収箱４０を筐体２０から引き出すと、その過程において図７（ｂ）に示すようにゴミ収容領域５４の底が隔壁５２ａ側から開いてゴミ排出口５８が形成される。回収箱４０をさらに引き出すと、やがて図７（ｃ）に示すようにゴミ収容領域５４の底が完全に開いた状態になる。
【００５２】
図７のような構成とした場合についても、回収箱４０を引出方向ＰＬに向けて引き出すことにより、対向壁５２ｂが底壁５６ａに対して引出方向ＰＬとは逆方向に相対移動し、ゴミ収容領域５４内に存在するゴミＤを底に形成されたゴミ排出口５８側にかき寄せ、排出させることができる。
【００５３】
また、本体構成体５２や底側構成体５６は、図８（ａ）に示すように、図中において網掛を付して示すように本体側構成体５２を隔壁５２ａのみによって構成されたものとするとともに、底側構成体５６を底壁５６ａに相当するものによって構成されたものとし、隔壁５２ａ及び底壁５６ａによって区画された領域をゴミ収容領域５４とすることも可能である。
【００５４】
また、図８（ｂ）に示すように、本体側構成体５２を隔壁５２ａ、側壁５２ｃ、５２ｄによって構成されたものとするとともに、底側構成体５６を底壁５６ａ及び対向壁５２ｂに相当するものによって構成されたものとすることも可能である。更に、図８（ｃ）に示すように、本体側構成体５２を隔壁５２ａ、対向壁５２ｂ、側壁５２ｃに相当するものによって構成されたものとするとともに、底側構成体５６を底壁５６ａ及び側壁５２ｄに相当するものによって構成されたものとすることも可能である。
【００５５】
これらのような構成とした場合についても、隔壁５２ａによってゴミ収容領域５４に挿入された指等が裁断機構部３２側に侵入するのを防止できる。また、回収箱４０を引出方向ＰＬに引き出すことにより、ゴミ収容領域５４の底が開き、ゴミ収容領域５４内に収容されていたゴミＤを排出させることが可能となる。
【００５６】
なお、図８（ａ）及び図８（ｂ）に示す変形例のように、本体構成体５２側に対向壁５２ｂを設けない構成とした場合は、ゴミ収容領域５４内に収容されているゴミＤをゴミ排出口５８に向けてかき寄せ、排出させることができない。そのため、このような構成とする場合は、例えば上述したように底壁５６を回収部４２側に向けて下方に傾斜するように設ける等して、ゴミＤをスムーズに排出可能なように構成することが望ましい。
【産業上の利用可能性】
【００５７】
本考案は、破断対象物以外のゴミを収容可能なゴミ収容部を備えたシュレッダー全般に適用することができる。
【符号の説明】
【００５８】
１０      シュレッダー
２０      筐体
３０      シュレッダー本体
３２      裁断機構部
４０      回収箱
４２      回収部
４４      係止スリット
５０      ゴミ収容部
５２      本体側構成体
５２ａ    隔壁
５２ｂ    対向壁
５４      ゴミ収容領域
５６      底側構成体
５６ａ    底壁
５８      ゴミ排出口
ＳＴ      設置位置
ＰＬ      引出方向
【図１】
0003156827.tif 000003
【図２】
0003156827.tif 000004
【図３】
0003156827.tif 000005
【図４】
0003156827.tif 000006
【図５】
0003156827.tif 000007
【図６】
0003156827.tif 000008
【図７】
0003156827.tif 000009
【図８】
0003156827.tif 000010